【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
内部光源の無い封止ハウジング（１１２，６００，７００）と、
前記ハウジングに搭載された参照セル（１５６，図３〜図５，６２３，７１２）と、
前記ハウジングに搭載されたサンプルセル（１５４，図３〜図５，６２２，７１０）と、
外部で発生した光ビームを参照ビームおよびサンプルビーム（１５０，１５２，３００，３２０，４００，４２０，５００，５２０，６２０，６２１）へ分岐し、参照ビームおよびサンプルビームを別々の経路に分配して、一方の経路は、参照ビームを参照セルの中に通し、他方の経路は、サンプルビームを前記サンプルセルの中に通すようにした、ハウジング内にある光学系と、
参照ビームを参照物質と相互作用させ、参照ビームの少なくとも一部を反射するための参照セル相互作用手段（３２２，３２４，４３４，４２２，５３４，５２２，６２３ａ）と、
サンプルビームをサンプルと相互作用させ、サンプルビームの少なくとも一部を反射するためのサンプルセル相互作用手段（３０２，３０４，４１４，４０２，５１４，５０２，６２２ａ）と、
前記参照セル相互作用手段によって反射した光の少なくとも一部を検出するための参照光検出器（３３０，４３０，５３０，６２９）と、
前記サンプルセル相互作用手段によって反射した光の少なくとも一部を検出するためのサンプル光検出器（３１０，４１０，５１０，６２８）と、
前記封止ハウジングに対して外部にある光源から、外部で発生した光ビームを前記光学系の中に供給するための光ガイド（１０８，６０１，７０２）とを備える分光光度計。
【請求項２】
前記参照セル相互作用手段および前記サンプルセル相互作用手段は、下記の少なくとも１つをそれぞれ利用している請求項１記載の分光光度計。
内部全反射をそれぞれ利用して、参照ビームを参照物質と相互作用させ、サンプルビームをサンプルと相互作用させること。
鏡面反射をそれぞれ利用して、参照ビームを参照物質と相互作用させ、サンプルビームをサンプルと相互作用させること。
拡散反射をそれぞれ利用して、参照ビームを参照物質と相互作用させ、サンプルビームをサンプルと相互作用させること。
【請求項３】
前記参照光検出器からの参照電流および前記サンプル光検出器からのサンプル電流を受けて、前記参照電流および前記サンプル電流を平衡化し、差分電圧へ変換される差分電流を生成するためのフィードバックを有する合算ポイントでの電流モード引き算によって、参照電流とサンプル電流の間の差分に比例した差分電圧を生成して、そして、該差分電圧と、前記参照電流に比例した電圧および前記サンプル電流に比例した電圧のうち少なくとも一方とを同時に生成する検出器回路（１８９，図２Ａ〜図２Ｃ，３４０，４４０，５４０，６３２）をさらに備える請求項１記載の分光光度計。
【請求項４】
内部熱平衡を促進するための受動的な温度安定化手段（１１２，１１３，１２３，１３５，１３７，１４１，１５４，１５６，６００，７００）をさらに備える請求項３記載の分光光度計。
【請求項５】
前記参照電流は参照電圧に変換され、前記サンプル電流はサンプル電圧に変換され、そして、前記参照電圧およびサンプル電圧は、差分増幅器の入力で引き算されて、前記差分増幅器は差分電圧を生成するようにした請求項３記載の分光光度計。
【請求項６】
前記検出器回路は、前記サンプル電流および前記参照電流のうち小さい方の少量を、前記差分増幅器の前記入力へ供給するフィードバックループをさらに備える請求項５記載の分光光度計。
【請求項７】
前記サンプル光検出器を収容するサンプル光検出器チャンバと、
前記参照光検出器を収容する参照光検出器チャンバと、
前記サンプル光検出器チャンバおよび前記参照光検出器チャンバの各々に設けられ、前記サンプル光検出器および前記参照光検出器から反射した光をそれぞれ閉じ込める光トラップ（１９４，１９６，５１１，５３１，６３３，６３４）とをさらに備える請求項１記載の分光光度計。
【請求項８】
前記ハウジングは、前記参照セル、前記サンプルセル、前記光学系、前記参照光検出器および前記サンプル光検出器の搭載および配置を提供する形状をなした中空部分（６００ａ，７００ａ）を有する固体の単一構造金属ハウジング（６００，７００）を備える請求項１記載の分光光度計。
【請求項９】
実質的に固体の熱伝導性ハウジング（６００，７００）と、
光伝送経路およびコンポーネント配置を規定する、前記ハウジング内にある中空部分（６００ａ，７００ａ）と、
前記中空部分と光伝送を行う光入口アパーチャ（６０２）と、
前記光入口アパーチャと光伝送を行うコリメートレンズ（６０４，７０２）と、
前記コリメートレンズと光伝送を行う第１ビームスプリッタ（６０６，７０４）と、
前記第１ビームスプリッタの透過側と光伝送を行う第２ビームスプリッタ（６１０，７０６）と、
前記第１ビームスプリッタの反射側と光伝送を行う第３ビームスプリッタ（６１４，７０８）と、
前記第２および第３ビームスプリッタの一方と光伝送を行う、参照セル反射相互作用界面および反射ビーム検出システム（６２３，６２３ａ，７１２）と、
前記第２および第３ビームスプリッタの他方と光伝送を行う、サンプルセル反射相互作用界面および反射ビーム検出システム（６２２，６２２ａ，７１０）とを備える分光光度計。
【請求項１０】
前記参照セル反射相互作用界面および反射ビーム検出システム、ならびに前記サンプルセル反射相互作用界面および反射ビーム検出システムは、前記第２ビームスプリッタの反射側および前記第３ビームスプリッタの透過側と光伝送を行うようにした請求項９記載の分光光度計。
【請求項１１】
前記中空部分の一部として形成され、第２ビームスプリッタからの透過光および前記第３ビームスプリッタの反射光を閉じ込めるように配置された、光トラップ（６１３，６１７）をさらに備える請求項９記載の分光光度計。
【請求項１２】
内部光源の無い封止ハウジング（１１２，６００，７００）と、
前記ハウジングに搭載された参照セル（１５６，図３〜図５，６２３，７１２）と、
前記ハウジングに搭載されたサンプルセル（１５４，図３〜図５，６２２，７１０）と、
外部で発生した光ビームを参照ビームおよびサンプルビーム（１５０，１５２，３００，３２０，４００，４２０，５００，５２０，６２０，６２１）へ分岐し、参照ビームおよびサンプルビームを別々の経路に分配して、一方の経路は、参照ビームを参照セルの中に通し、他方の経路は、サンプルビームを前記サンプルセルの中に通すようにした、ハウジング内にある光学系と、
参照ビームを通す一方の経路と光伝送を行う参照セル反射相互作用界面および反射ビーム検出システム（３２２，３２４，４３４，４２２，５３４，５２２，６２３ａ）と、
サンプルビームを通す他方の経路と光伝送を行うサンプルセル反射相互作用界面および反射ビーム検出システム（３０２，３０４，４１４，４０２，５１４，５０２，６２２ａ）と、
前記参照セル相互作用手段によって反射した光の少なくとも一部を検出するための参照光検出器（３３０，４３０，５３０，６２９）と、
前記サンプルセル相互作用手段によって反射した光の少なくとも一部を検出するためのサンプル光検出器（３１０，４１０，５１０，６２８）と、
前記封止ハウジングに対して外部にある光源から、外部で発生した光ビームを前記光学系の中に供給するための光ガイド（１０８，６０１，７０２）とを備える分光光度計。
【請求項１３】
前記参照セル反射相互作用界面および反射ビーム検出システム、ならびに前記サンプルセル反射相互作用界面および反射ビーム検出システムは、
相互作用面（３０４，３２４）を含むプリズム（３０２，３２２，６２２ａ，６２３ａ）と、
検出器（３３０，３１０，６２８，６２９）と、
前記プリズムからのビーム出力を前記検出器へ集光するレンズ（３０８，３２８，６２４，６２５）と、
ガスまたは液体を相互作用面へ供給するための入口および出口を有する閉じた相互作用容積（３１４，３３４）とをそれぞれ備える請求項９または１２記載の分光光度計。
【請求項１４】
前記参照セル反射相互作用界面および反射ビーム検出システム、ならびに前記サンプルセル反射相互作用界面および反射ビーム検出システムは、
反射相互作用面（４０２，４２２）と、
検出器（４３０，４１０）と、
前記反射相互作用面からのビーム出力を前記検出器へ集光するレンズ（４０８，４２８）と、
ガスまたは液体を反射相互作用面へ供給するための入口および出口を有する閉じた相互作用容積（４１４，４３４）とをそれぞれ備える請求項９または１２記載の分光光度計。
【請求項１５】
前記参照セル反射相互作用界面および反射ビーム検出システム、ならびに前記サンプルセル反射相互作用界面および反射ビーム検出システムは、
つや消し相互作用面（５０２，５２２）と、
検出器（５３０，５１０）と、
前記つや消し相互作用面からの散乱出力を前記検出器へ集光するレンズまたはミラー（５０８，５２８）と、
ガスまたは液体を相互作用面へ供給するための入口および出口を有する閉じた相互作用容積（５１３，５３４）とをそれぞれ備える請求項９または１２記載の分光光度計。
【請求項１６】
前記ハウジングは、実質的に固体の熱伝導性ハウジング（７００，６００）と、
光伝送経路およびコンポーネント配置を規定する、前記ハウジング内にある中空部分（７００ａ，６００ａ）とを備える請求項１２記載の分光光度計。